(57)【要約】表示部１０にソフトキーが表示されている状態にて近接センサ５０にて人体が近接している旨が検知された場合、表示部１０にてソフトキーを非表示状態とする。
2012060166.tif 000002
【特許請求の範囲】
【請求項１】
情報が表示されるディスプレイ上に操作手段が表示され、前記操作手段が触れられることにより当該操作手段に応じた動作を行う携帯電話機において、
前記ディスプレイ上における前記操作手段の表示を制御するとともに、前記操作手段が触れられた場合に当該操作手段に応じた動作を制御する制御手段と、
人体が近接している旨を検知する近接センサとを有し、
前記制御手段は、前記ディスプレイ上に前記操作手段が表示されている状態にて前記近接センサにて人体が近接している旨が検知された場合、前記ディスプレイ上にて前記操作手段を非表示状態とする携帯電話機。
【請求項２】
請求項１に記載の携帯電話機において、
前記制御手段は、前記ディスプレイ上にて前記操作手段が非表示となっている状態にて前記近接センサにて人体が近接している旨が検知されない場合、前記ディスプレイ上に前記操作手段を表示する携帯電話機。
【請求項３】
請求項１に記載の携帯電話機において、
前記近接センサは、通話が行われる際に人体に対向する面に設けられている携帯電話機。
【請求項４】
情報が表示されるディスプレイ上に操作手段が表示され、前記操作手段が触れられることにより当該操作手段に応じた動作を行う携帯電話機の表示制御方法であって、
前記ディスプレイ上に前記操作手段が表示されている状態にて、所定の領域に人体が近接している場合、前記ディスプレイ上にて前記操作手段を非表示状態とする携帯電話機の表示制御方法。
【請求項５】
請求項４に記載の携帯電話機の表示制御方法において、
前記ディスプレイ上にて前記操作手段が非表示となっている状態にて、前記所定の領域に人体が近接していない場合、前記ディスプレイ上に前記操作手段を表示する携帯電話機の表示制御方法。
【請求項６】
請求項４に記載の表示制御方法において、
前記ディスプレイ上に前記操作手段が表示されている状態にて、通話が行われる際に人体に対向する面に人体が近接している場合、前記ディスプレイ上にて前記操作手段を非表示状態とする携帯電話機の表示制御方法。
【発明の詳細な説明】
【技術分野】
【０００１】
本発明は、携帯電話機及びその表示制御方法に関する。
【背景技術】
【０００２】
現在、携帯電話機は、情報交換や情報収集の面から、生活にはなくてはならないツールとなりつつある。このような携帯電話機は、世の中に登場した当時は、通話機能しか有していないものがほとんどであったが、近年では、一般のパーソナルコンピュータと同様に、電子メールを送信したり、インターネットに接続したりすることができるようになり、また、情報が表示される画面にソフトキーと呼ばれる操作ボタンを表示し、このソフトキーに触れることにより操作が行われるものもある。【０００３】
ところが、このように画面に表示されたソフトキーに触れることにより操作が行われるものにおいては、通話中等、ユーザが無意識にソフトキーに触れてしまう場合があり、その場合、ユーザが意図しない操作が行われてしまうことになる。【０００４】
ここで、近接センサを設け、この近接センサにユーザが近接している場合に、入力デバイスからのデータを意図的なユーザ入力として処理しないことにより、上記のようにユーザが意図しない操作が行われてしまうことを回避する技術が特許文献１に開示されている。【０００５】
また、タッチ用アイコンを含む画面とそれ以外の画面とを切り替えて表示する画面表示装置において、人の手を検知するためのセンサを設け、そのセンサにて人の手の接近を検知した場合に、表示する画面を切り替える技術が特許文献２に開示されている。
【先行技術文献】
【特許文献】
【０００６】
【特許文献１】特表２０１０−５０７８７０号公報
【特許文献２】特開２００９−２１６８８８号公報
【発明の概要】
【発明が解決しようとする課題】
【０００７】
しかしながら、特許文献１に開示された技術にように、近接センサを設け、この近接センサにユーザが近接している場合に、入力デバイスからのデータを意図的なユーザ入力として処理しないものにおいては、入力デバイスからのデータを入力として処理しない状態であることをユーザが認識することができない。【０００８】
図６は、一般的な携帯電話機の使用状態を示す図である。【０００９】
図６に示すように、携帯電話機１０１を手１０２で包むように持って操作すると、手１０２の指で近接センサを覆ってしまうことがあり、その場合、入力デバイスからのデータを入力として処理しない状態となってしまうが、ユーザはその旨を認識することができず、入力デバイスからのデータの入力を続けることとなり、また、携帯電話機１０１においても、入力デバイスから意図的にデータが入力されてもがそれに応じた動作を行わないという問題点がある。【００１０】
また、特許文献２に開示された技術においては、センサにて人の手を検知した場合に、表示する画面そのものを切り替えるものであるため、ユーザの操作によらずにセンサにて人の手が検知された場合に、現在表示している画面そのものが切り替わってしまい、ユーザが戸惑ってしまうという問題点がある。【００１１】
本発明は、上述したような技術が有する問題点に鑑みてなされたものであって、情報が表示されるディスプレイ上に操作手段が表示され、操作手段が触れられることによりその操作手段に応じた動作を行う携帯電話機において、ユーザが意図せずにディスプレイに触れた場合にユーザが意図しない動作が行われてしまうことを回避できる携帯電話機及びその表示制御方法を提供することを目的とする。
【課題を解決するための手段】
【００１２】
上記目的を達成するために本発明は、
情報が表示されるディスプレイ上に操作手段が表示され、前記操作手段が触れられることにより当該操作手段に応じた動作を行う携帯電話機において、
前記ディスプレイ上における前記操作手段の表示を制御するとともに、前記操作手段が触れられた場合に当該操作手段に応じた動作を制御する制御手段と、
人体が近接している旨を検知する近接センサとを有し、
前記制御手段は、前記ディスプレイ上に前記操作手段が表示されている状態にて前記近接センサにて人体が近接している旨が検知された場合、前記ディスプレイ上にて前記操作手段を非表示状態とする。【００１３】
また、情報が表示されるディスプレイ上に操作手段が表示され、前記操作手段が触れられることにより当該操作手段に応じた動作を行う携帯電話機の表示制御方法であって、
前記ディスプレイ上に前記操作手段が表示されている状態にて、所定の領域に人体が近接している場合、前記ディスプレイ上にて前記操作手段を非表示状態とする。
【発明の効果】
【００１４】
以上説明したように本発明においては、人体が近接している場合にディスプレイ上にて操作手段が非表示状態となるため、ユーザが意図せずにディスプレイに触れた場合にユーザが意図しない動作が行われてしまうことを回避できるとともに、ディスプレイに表示される操作手段による入力を受け付けない状態である旨をユーザに認識させることができる。
【図面の簡単な説明】
【００１５】
【図１】本発明の携帯電話機の実施の一形態を示す外観図である。
【図２】図１に示した携帯電話機の構成ブロック図である。
【図３】図１及び図２に示した携帯電話機の表示制御方法を説明するためのフローチャートである。
【図４】図１に示した携帯電話機の通話状態を示す図である。
【図５】図１に示した携帯電話機の表示部の画面の一例を示す図であり、（ａ）はソフトキーが表示された状態を示す図、（ｂ）はソフトキーが非表示となっている状態を示す図である。
【図６】一般的な携帯電話機の使用状態を示す図である。
【発明を実施するための形態】
【００１６】
以下に、本発明の実施の形態について図面を参照して説明する。
【００１７】
図１は、本発明の携帯電話機の実施の一形態を示す外観図である。また、図２は、図１に示した携帯電話機１の構成ブロック図である。
【００１８】
本形態における携帯電話機１は図１及び図２に示すように、通信機能となるアンテナ３０及び無線部３１と、音声情報が出力されるレシーバ２２と、音声情報が入力されるマイク２１と、アンテナ３０及び無線部３１を介して受信された情報を音声に変換してレシーバ２２に出力したり、マイク２１を介して入力された音声をアンテナ３０及び無線部３１を介して送信するデータに変換したりする音声変換回路２０と、情報が表示されるディスプレイからなる表示部１０と、外部から操作されることによって情報を入力するためのキー４１，４２からなる入力部４０と、ブザー等からなり、着信音等を出力する鳴音部６１と、着信等を振動で通知するためのバイブレータ６２と、通話が行われる際に人体に対向する面に設けられ、人体が近接している場合にその旨を検知する近接センサ５０と、これらを制御する制御部８０と、制御部８０のプログラムやデータ等を格納するＲＯＭ７１と、データを展開する等の動作を行うためのＲＡＭ７２とから構成されている。なお、入力部４０は、外部から操作可能なキー４１，４２のみではなく、表示部１０に表示される操作手段となるソフトキーも含み、また、ＲＯＭ７１には、このソフトキーの画像データが格納されている。
【００１９】
以下に、上記のように構成された携帯電話機１の表示制御方法について説明する。
【００２０】
図３は、図１及び図２に示した携帯電話機１の表示制御方法を説明するためのフローチャートである。
【００２１】
図１に示した携帯電話機１においては、近接センサ５０において、人体が近接しているかどうかが検知されている（ステップ１）。
【００２２】
図４は、図１に示した携帯電話機１の通話状態を示す図である。
【００２３】
図１に示した携帯電話機１が通話状態であると、図４に示すように、人体２が近接センサ５０に近接している状態となる。
【００２４】
その際、表示部１０にソフトキーが表示されている場合は（ステップ２）、ソフトキーを隠すことにより非表示状態とする（ステップ３）。
【００２５】
図５は、図１に示した携帯電話機１の表示部１０の画面の一例を示す図であり、（ａ）はソフトキーが表示された状態を示す図、（ｂ）はソフトキーが非表示となっている状態を示す図である。
【００２６】
携帯電話機１の表示部１０に表示されるソフトキー１１は、携帯電話機１の動作を指定するためのものであり、制御部８０の制御によって図５（ａ）に示すように表示部１０に表示されている。そして、ソフトキーが触れられた場合、制御部８０の制御によって、その触れられたソフトキーに応じた動作が行われることになる。例えば、表示部１０に表示されたソフトキーのうち、通話ボタンが触れられると発信が行われたり、音量ボタンが触れられると音量が変化したりする。
【００２７】
制御部８０は、表示部１０にソフトキーが表示されている状態にて近接センサ５０にて人体が近接している旨が検知されると、図５（ｂ）に示すように、表示部１０に表示された情報画面を表示状態としたままソフトキーのみを非表示状態とする。これにより、ソフトキーによる入力が受け付けられない状態となる。
【００２８】
また、近接センサ５０にて人体が近接している旨が検知されない場合において、表示部１０にソフトキーが表示されていない場合は（ステップ４）、制御部８０の制御によってソフトキーを表示状態とする（ステップ５）。
【００２９】
このように、本形態においては、人体が近接している場合に、ディスプレイ上に表示された情報画面を表示状態としたままソフトキーのみが非表示状態となるため、ディスプレイ上に表示された情報画面そのものが切り替わることがなく、また、ユーザが意図せずにディスプレイに触れた場合にユーザが意図しない動作が行われてしまうことを回避できるとともに、ディスプレイに表示されるソフトキーによる入力を受け付けない状態である旨をユーザに認識させることができる。
【００３０】
なお、本発明においては、携帯電話機１内の処理は上述の専用のハードウェアにより実現されるもの以外に、その機能を実現するためのプログラムを携帯電話機１にて読取可能な記録媒体に記録し、この記録媒体に記録されたプログラムを携帯電話機１に読み込ませ、実行するものであっても良い。携帯電話機１にて読取可能な記録媒体とは、ＩＣカードやメモリカード、あるいは、フロッピーディスク（登録商標）、光磁気ディスク、ＤＶＤ、ＣＤ等の移設可能な記録媒体の他、携帯電話機１に内蔵されたＨＤＤ等を指す。この記録媒体に記録されたプログラムは、例えば、制御ブロックにて読み込まれ、制御ブロックの制御によって、上述したものと同様の処理が行われる。
【００３１】
この出願は、２０１０年１１月５日に出願された日本出願特願２０１０−２４８７９５を基礎とする優先権を主張し、その開示の全てをここに取り込む。
【図１】
2012060166.tif 000003
【図２】
2012060166.tif 000004
【図３】
2012060166.tif 000005
【図４】
2012060166.tif 000006
【図５】
2012060166.tif 000007
【図６】
2012060166.tif 000008
【国際調査報告】
2012060166.tif 000009
2012060166.tif 000010